(57)【要約】【課題】ノートパソコンなどを携帯して操作する場合に、ノートパソコンなどの保持性を向上させ、かつキーボードなどへの操作性を向上させた情報処理装置を提供する。【解決手段】前面筐体部１１と、キーボード１２などが配置された背面筐体部１３とを備えたノートパソコン本体１０の背面部１５に固定したベルト部１６と、背面部１５に対向するベルト部１６における略中央部の両側に一対のフック部１８ａ、１８ｂを設け、片手でノートパソコン本体１０の保持を確実に行う。【選択図】図１
2009193405.tif 000002
【特許請求の範囲】
【請求項１】
前面筐体部と、背面筐体部と、前記背面筐体部の背面部に固定したベルト部と、
前記背面部に対向する前記ベルト部における略中央部の両側に一対のフック部を設けたことを特徴とする情報処理装置。
【請求項２】
前記背面部が、略矩形形状の低面部と、前記低面部に連設する高面部と、前記低面部および前記高面部の境界の段差部とを備え、
前記段差部は、前記ベルト部の幅方向における操作者の手を挿入する側に形成した請求項１記載の情報処理装置。
【請求項３】
前記ベルト部の略中央部に対応する前記背面部に、当該背面部の外部方向に突出する凸部を備える請求項１または請求項２のいずれかに記載の情報処理装置。
【請求項４】
前記凸部が球面形状であることを特徴とする請求項３に記載の情報処理装置。
【請求項５】
前記前面筐体部に、視認情報を表示する表示部と、前記視認情報を制御する制御ボタンとを配置した請求項１から請求項４のいずれか一項に記載の情報処理装置。
【発明の詳細な説明】
【技術分野】
【０００１】
本発明は、ノートパソコンのような携帯型の情報処理装置に関し、特に、携帯性を向上させるためにハンドストラップ（吊り紐、ベルト、以下総称してハンドストラップと呼ぶ）を備えた情報処理装置に関するものである。
【背景技術】
【０００２】
近年、パーソナルコンピュータでもノートパソコンのような携帯性に優れた情報処理装置が普及し、より携帯性を向上するためにハンドストラップを装着した携帯型のノートパソコンなどが市販されている。
【０００３】
ノートパソコンはコンピュータ本体と入力装置としてのキーボードなどが収納された背面筐体部と、平面ディスプレイなどが収納された前面筐体部とをヒンジ部で結合し、前面筐体部を折りたたんで全体としてノート型としたものが一般的である。
【０００４】
近年は、これらのノートパソコンの軽量化、小型化が進展し、使用者がノートパソコンを携帯しながら立ったまま操作する場面が多くなっている。このような場合には、ノートパソコンの背面筐体部を片手で保持しながら、もう一方の片手でキーボードなどを操作することになる。
【０００５】
ノートパソコンを片手でしっかり保持するために、背面筐体部の背面部にハンドストラップを設け、そのハンドストラップに片手を差し込んで保持を確実に行う例が開示されている（例えば、特許文献１、２参照）。
【特許文献１】特開２０００−１０５６３０号公報
【特許文献２】特開２００７−１０２５３２号公報
【発明の開示】
【発明が解決しようとする課題】
【０００６】
しかしながら、上記の特許文献１または特許文献２に記載の従来の構成では、ハンドストラップはその両端部をノートパソコンの背面筐体部に固定した単なる帯状のベルトであり、ノートパソコンを保持するための手の甲とハンドストラップとの接触面積が小さい。そのために、挿入した手によってノートパソコンをしっかりと保持することができずに、ノートパソコンが揺動したり滑り落ちたりする。また、キーボードのキーを押圧した場合にも不安定に揺動してキー入力が不確実になり易いといった課題を有していた。
【０００７】
また、片手でノートパソコンを保持し、他方の片手でノートパソコンのキーボードなどを操作する場合などには、キーボードへの入力操作やディスプレイの視認性から、保持する片手に対してノートパソコンを傾斜した状態で保持できる状態とすることが望ましい。しかしながら、特許文献１または特許文献２に記載の従来のハンドストラップの構成では、ノートパソコンに対して傾斜した状態で保持すると、ノートパソコンの保持が不安定になるといった課題を有していた。
【０００８】
そこで本発明は、これらの課題を解決し、ノートパソコンなどを携帯して操作する場合に、ノートパソコンなどの保持性を向上させ、かつキーボードなどへの操作性を向上させた情報処理装置を提供することを目的とする。
【課題を解決するための手段】
【０００９】
上記の目的を達成するために、本発明の情報処理装置は前面筐体部と、背面筐体部と、背面筐体部の背面部に固定したベルト部と、背面部に対向するベルト部における略中央部の両側に一対のフック部を設けている。
【００１０】
このような構成により、片手を背面筐体部とハンドストラップの間に挿入すると、片手の甲とベルト部で情報処理装置を固定することができるとともに、さらにフック部を親指と人差し指で挟むことにより、回転移動を制限して情報処理装置を確実に保持することができる。
【００１１】
さらに、背面部が、略矩形形状の低面部と、低面部に連設する高面部と、低面部および高面部の境界の段差部とを備え、段差部はベルト部の幅方向における操作者の手を挿入する側に形成する構成が好ましい。このような構成によれば、ベルト部に挿入した片手のひらで情報処理装置を保持する際に、低面部に手の第３関節から手首までを沿う形状とすることができ、保持する片手の疲労感の抑制と、保持する手のひらに対して直交する方向の角度の自由度を向上させ疲労感をさらに低減することができる。
【００１２】
さらに、ベルト部の略中央部に対応する背面部に、当該背面部の外部方向に突出する凸部を備えることが好ましい。このような構成によれば、片手のひらで凸部を包み込むように保持することができ、安定して疲労感を感じることなく情報処理装置を保持することができるとともに、保持する片手に対して情報処理装置を自由に傾斜させた場合でも安定して保持することができる。
【００１３】
さらに、凸部が球面形状であることが好ましい。このような構成によれば、保持する片手に対して情報処理装置を自由に傾斜させても、常に片手のひらで凸部を包み込むように保持できて安定して保持することができる。
【００１４】
さらに、前面筐体部に、視認情報を表示する表示部と、視認情報を制御する制御ボタンとを配置することが好ましい。このような構成によれば、表示部を例えばヒンジなどを介してキーボードに折りたたむ構成では、当該表示部が嵩張ることで表示部の表示を制御するキーボードなどの入力操作性に劣る課題も解消することができる。
【発明の効果】
【００１５】
本発明によれば、ノートパソコンなどを携帯して操作する場合に、ノートパソコンなどの保持性を向上させ、かつキーボードなどへの操作性を向上させた情報処理装置を提供することができる。
【発明を実施するための最良の形態】
【００１６】
以下、本発明の実施の形態について、図面を参照しながら説明する。
【００１７】
（実施の形態１）
図１は本発明の実施の形態１における情報処理装置であるノートパソコンを示す図であり、図１（ａ）はノートパソコンを下方の背面側から見た斜視図、図１（ｂ）は図１（ａ）のＡ−Ａ線断面図である。ノートパソコン本体１０は液晶ディスプレイなどのディスプレイ装置が配置された前面筐体部１１と、ＣＰＵやＨＤＤなどを内蔵しキーボード１２などが配置された背面筐体部１３とにより構成されている。背面筐体部１３と前面筐体部１１とはヒンジ部１４によって折りたたみ可能に構成され、図１は前面筐体部１１を視認可能なように開いた状態を示している。
【００１８】
図１に示すように、背面筐体部１３の背面部１５にはヒンジ部１４に略平行なベルト部１６が設けられている。ベルト部１６は２点固定式のベルトであって、その両端部（以下、固定端と称す）が背面筐体部１３に設けられた固定部１７ａ、１７ｂに固定されている。さらに、ベルト部１６の略中央部の両固定端側には、ベルト部１６に連結した樹脂などの剛体材料で形成された一対のフック部１８ａ、１８ｂを設けている。
【００１９】
ベルト部１６は、伸縮自在な硬質ゴムや、エラストマーまたはポリブチレンテレフタレートなどの弾性を備える樹脂などの素材によって構成されている。ベルト部１６に連結されているフック部１８ａ、１８ｂは、ベルト部１６と異なる材料としても良いが、同一材料としてフック部１８ａ、１８ｂを肉厚として成形等し、さらに所定の高さとなるように構成することが好ましい。
【００２０】
また、使用者の手の大きさや配置に対応して、ベルト部１６の固定部１７ａ、１７ｂの位置を可変したり、ベルト部１６を取り外したりすることができるように固定部位置調整部２０が設けられている。
【００２１】
本発明の実施の形態１においてノートパソコン本体１０を片手で保持して使用する場合の保持方法について説明する。図２は本発明の実施の形態１における情報処理装置のノートパソコンを片手で保持した状態を示す斜視図である。
【００２２】
図２に示すように、ベルト部１６とノートパソコン本体１０の背面部１５との間に片手２２を挿入し、片手２２の手の甲とベルト部１６とを弾性的に拘束して、パソコン本体１０を片手２２の手のひらにのせて保持する。このとき、親指と人指し指でフック部１８ｂを挟み込んでノートパソコン本体１０を保持する。
【００２３】
このような保持形態により、ベルト部１６と片手２２の手の甲とが弾性的に拘束されて手のひらとパソコン本体１０との固定面積が増加して密着を強固にし、かつ、親指と人指し指でフック部１８ｂを側面から挟み込むことにより、回転移動が制限されて確実にノートパソコン本体１０を保持することができる。また、フック部１８ａ、１８ｂはベルト部１６の中央部の両固定端側に一対設けているために、左利き、右利き兼用にすることができる。
【００２４】
なお、片手でノートパソコン本体１０を保持し、片手でノートパソコン本体１０のキーボード１２などを操作する場合には、キーボード１２への入力操作性やディスプレイの視認性、さらには、保持する片手の疲労緩和から、保持する片手をノートパソコン本体１０のヒンジ部１４に平行な線分に対して傾斜した状態で挿入して保持できる状態とすることが望ましい。本発明の実施の形態１によれば、ベルト部１６にフック部１８ａ、１８ｂを設け、このフック部１８ａ、１８ｂを挿入した片手の親指と人差し指で挟む込む構成としている。そのため、ノートパソコン本体１０を保持する片手に対して傾斜した状態で保持しても、しっかりとノートパソコン本体１０を保持できるものである。
【００２５】
なお、図１、図２、図３にはフック部１８ａ、１８ｂの形状が矩形断面形状となるように示しているが、あらゆる傾斜角度に対応および／または親指と人差し指とで把持し易くするためには、フック部１８ａ、１８ｂの形状が略円柱か楕円柱のような丸みを帯びた厚みを有する形状であることがより望ましい。
【００２６】
また、このようにフック部１８ａ、１８ｂでもノートパソコン本体１０を保持するようにすることができるために、ベルト部１６と手の甲との密着力を強める必要もないために、手の疲労感を緩和することもできる。
【００２７】
さらに、図示はしていないが、ベルト部１６に貫通部（図示せず）を設けて挿入した片手の人指し指、中指あるいは薬指などの第３関節部を貫通部から突出させると、挿入した片手に圧迫感を感じることなくノートパソコン本体１０を保持することなども可能となる。
【００２８】
したがって、本発明の実施の形態における情報処理装置によれば、ノートパソコン本体１０などを立った姿勢のままで使用する場合などに、片手でより確実に、操作者に対して正対させながら自然な状態で保持ができる。そのため、キー入力などの操作性を向上させることができるとともに、ノートパソコン本体１０を誤って落下させるなどの危険性もなくなるものである。
【００２９】
なお、上述のように、フック部１８ａ、１８ｂをベルト部１６に連結固定すると、ベルト部１６が不要の場合には、ベルト部１６を取り外す際に容易にフック部１８ａ、１８ｂをも取り外すことが可能となって収納などが容易になるが、背面筐体部１３にフック部１８ａ、１８ｂを固定する構成でも構わない。背面筐体部１３にフック部１８ａおよび１８ｂを備える場合には、ベルト部１６に当接するフック部１８ａおよび１８ｂの頂部を、背面筐体１３の面に対して傾斜させるか、または、頂部が球面形状に収束する形状を採用すると、机上等平坦面に背面筐体部１３の載置性を向上させることができる。
【００３０】
また、本発明の実施の形態１における情報処理装置によれば、ノートパソコン本体１０の保持を、手のひらおよび手の甲、そして親指と人指し指で確実に行うことができ、他の指先が自由に使える状態となる。そのため、保持する片手２２の開放されている指先で触れることができる位置にキーボード１２上の補助キーと同じ機能を有する第２の補助キーなどを設けてその操作性を向上させることができる。
【００３１】
また、ノートパソコン本体１０を平坦な机上に置いて使用する場合には、ベルト部１６は弾性変形するが、フック部１８ａ、１８ｂは剛性が高いために容易に変形せず、ノートパソコン本体１０の後部、すなわち、図１のヒンジ部１４側を高くしてキーボード１２を傾斜させることができる。そのために、キー入力の操作性を高めることができる。さらに、この場合には、フック部１８ａ、１８ｂを硬質ゴムや、エラストマーまたはポリブチレンテレフタレートなどの弾性を備える樹脂などの素材で構成しているために、フック部１８ａ、１８ｂが足ゴムの役割を果たし、キーボード１２による入力操作などの衝撃を吸収して操作性を増すことができる。なお、背面筐体部１３を操作者の方向が低くなるようにフック部１８ａ、１８ｂとベルト部１６との境界面に傾斜を設けることで、キーボード１２の入力操作性をさらに向上させることができる。
【００３２】
（実施の形態２）
図３は本発明の実施の形態２における情報処理装置であるノートパソコンを示す図であり、図１（ａ）はノートパソコンを下方の背面側から見た斜視図、図１（ｂ）は図１（ａ）のＢ−Ｂ線断面図である。
【００３３】
本発明の実施の形態２における情報処理装置であるノートパソコンの基本の構成は実施の形態１と同様であり、背面筐体部の構成が異なるのみである。
【００３４】
すなわち、実施の形態２のノートパソコン本体１０１は、その背面筐体部１３の背面部１５に、ベルト部１６の略中央部に対応して背面部１５の外部方向に突出する凸部３１を備えている。さらに、凸部３１を球面形状としている。
【００３５】
このような構成によれば、ベルト部１６とノートパソコン本体１０１の背面部１５との間に片手を挿入し、片手の手のひらで球面形状の凸部３１を包み込むとともに、親指と人指し指でフック部１８ｂを挟み込んでノートパソコン本体１０１を保持することができる。したがって、手のひらで凸部３１の外周を包み込むように保持し、ベルト部１６と手の甲とを密着させることにより、全体として片手での保持面積が増加し、ノートパソコン本体１０１の背面部１５を安定して保持することができる。また、手のひらで凸部３１を保持するようにしているために、ベルト部１６で手の甲を強く押圧する必要もなく、手の疲労感を軽減することが可能となる。
【００３６】
さらに、その際には、親指と人指し指でフック部１８ｂを側面から挟み込むことにより、回転移動が制限されて確実にノートパソコン本体１０１を保持することができる。また、このとき、ノートパソコン本体１０１の長手方向の線分に対して片手を垂直に挿入せずに、傾斜させて挿入しても、しっかりとノートパソコン本体１０１を保持でき、さらに疲労感を軽減することができる。
【００３７】
また、フック部１８ａ、１８ｂは凸部３１に対して左右対称な位置に取り付けられているので、左利き、右利き兼用にすることができる。特に、凸部３１を球面形状としているために、左利き、右利きの兼用性が増すとともに、保持する片手に対してノートパソコン本体１０１を自由に傾斜させても、常に片手のひらで凸部３１を包み込むように保持できて安定して保持することができる。
【００３８】
（実施の形態３）
図４は本発明の実施の形態３における情報処理装置を前面側から見た斜視図であり、図５は同情報処理装置を背面側から見た斜視図、図６は図５のＣ−Ｃ線断面図である。
【００３９】
図４、図５、図６に示すように、本発明の実施の形態３における情報処理装置は前面側に表示部としてのディスプレイ部と、操作ボタンとを備えた情報端末である例えば携帯型ＮＡＶＩなどである。ＮＡＶＩ５０は、樹脂などを成型加工した前面筐体部５１と背面筐体部５２とにより構成されている。図４に示すように、前面筐体部５１には視認情報を表示する表示部である液晶ディスプレイなどのディスプレイ部５３と、表示画面のメニュー選択などをする視認情報を制御する制御ボタンである操作ボタン５５などが配置され、前面側でＮＡＶＩ５０の全ての操作が可能なように構成されている。
【００４０】
また、図５に示すように、成型加工された背面筐体部５２は、略矩形形状の低面部５６と、低面部５６に連設した低面部５６よりも厚みの大きい高面部５７とを有し、低面部５６と高面部５７との境界に段差部５８を有するように構成されている。また、厚みの大きい高面部５７の内部空間には、例えばＮＡＶＩ５０の電源としての電池を内蔵することができ、この場合、背面筐体部５２の側面には電池交換用の蓋部５９を設けることもできる。そのほか、例えばＵＳＢなどの外部機器との接続端子なども必要に応じて設けることもできる。
【００４１】
さらに、背面筐体部５２の高面部５７にはＮＡＶＩ５０の上端面と略平行なベルト部６０が設けられている。ベルト部６０は２点固定式のベルトであって、その両端部（以下、固定端と称す）が背面筐体部５２に設けられた固定部６１ａ、６１ｂに固定されている。さらに、ベルト部６０の略中央部の両固定端側に、ベルト部６０に連結した一対のフック部６２ａ、６２ｂを設けている。ベルト部６０は、伸縮自在な硬質ゴムや、エラストマーまたはポリブチレンテレフタレートなどの弾性を備える樹脂などの素材によって構成されている。また、ベルト部６０に連結されているフック部６２ａ、６２ｂは、ベルト部６０と異なる材料としても良いが、同一材料としてフック部６２ａ、６２ｂを肉厚として剛性を有するように成形等により構成することが好ましい。さらに、フック部６２ａ、６２ｂの高面部５７の面からの高さが、固定部６１ａ、６１ｂの高さよりも大きくなるようにすることが好ましい。
【００４２】
なお、図５に示すように、段差部５８はベルト部６０の幅方向における操作者の手を挿入する側に形成している。すなわち、図５では、操作者の手を図面の下側から上側に背面筐体部５２とベルト部６０との間に挿入してＮＡＶＩ５０を保持するようにしている。
【００４３】
すなわち、ＮＡＶＩ５０を片手で保持して使用する場合には、ベルト部６０とＮＡＶＩ５０の背面筐体部５２との間に片手を挿入し、片手の手の甲とベルト部６０とを弾性的に拘束して、ＮＡＶＩ５０を片手の手のひらにのせて保持する。このとき、親指と人指し指とでフック部６２ｂを挟み込んでＮＡＶＩ５０を保持する。
【００４４】
このような保持形態により、ベルト部６０と片手の手の甲とが弾性的に拘束されて手のひらとＮＡＶＩ５０との固定面積が増加して密着を強固にし、かつ、親指と人指し指でフック部６２ｂを側面から挟み込むことにより、回転移動が制限されて確実にＮＡＶＩ５０を保持することができる。また、フック部６２ａ、６２ｂはベルト部６０の中央部の両側に一対設けているために、左利き、右利き兼用にすることができる。
【００４５】
このように、フック部６２ａ、６２ｂを挿入した片手の親指と人差し指で挟む込む構成としているため、ＮＡＶＩ５０に対してベルト部６０に挿入する片手を傾斜させて挿入しても、ＮＡＶＩ５０を楽な姿勢で保持できるものである。また、図５、図６ではフック部６２ａ、６２ｂの形状が矩形断面形状となるように示しているが、あらゆる傾斜角度に対応でき、親指と人差し指とで把持し易くするためにはフック部６２ａ、６２ｂの形状を略円柱形状のような丸みを帯びた厚みを備えることがより望ましい。
【００４６】
さらに、本発明の実施の形態３におけるＮＡＶＩ５０によれば、背面筐体部５２は、略矩形形状の低面部５６と、低面部５６に連設する高面部５７と、低面部５６および高面部５７の境界の段差部５８とを備え、さらに段差部５８をベルト部６０の幅方向における操作者の手を挿入する側に形成している。このような構成によれば、ベルト部６０に挿入した片手のひらでＮＡＶＩ５０を保持する際に、低面部５６に手首を沿わせ、さらに段差部５８に手の第３関節から手首までを沿わせるようにして、保持する片手の疲労感を抑制することができる。
【００４７】
さらに、ＮＡＶＩ５０を平坦な机上に置いて使用する場合には、ベルト部６０はフック部６２ａ、６２ｂに比べて肉厚が薄いため弾性変形し、平坦な面上にＮＡＶＩ５０を載置するとベルト部６０は平坦化される。一方、ベルト部６０のうちのフック部６２ａ、６２ｂは肉厚で成形されているため剛性を有し、ＮＡＶＩ５０を机上に載置する際の足ゴムとなる。そのため、ディスプレイ部５３が傾斜して視認性を高め、操作ボタン５５の操作性を高めることができる。また、フック部６２ａ、６２ｂが足ゴムとしての機能を発揮するために、操作ボタン５５のボタン操作などの衝撃を吸収して操作性を増すことができる。
【００４８】
このように、本発明の実施の形態３における情報処理装置であるＮＡＶＩ５０によれば、ＮＡＶＩ５０を疲労感なく自然な姿勢で強固に保持することができ、視認性や操作性を向上させる携帯型ＮＡＶＩなどを提供することができる。
【００４９】
（実施の形態４）
図７は、本発明の実施の形態４における情報処理装置を背面側から見た斜視図であり、図８は図７のＤ−Ｄ線断面図である。本発明の実施の形態４における情報処理装置はＮＡＶＩであり、その基本の構成は実施の形態３と同様で背面筐体部の構成が異なるのみである。
【００５０】
すなわち、実施の形態４のＮＡＶＩ７０は、図７、図８に示すように、その背面筐体部５２に、ベルト部６０に対向する背面筐体部５２の略中央部に、ベルト部６０の方向に突出する凸部７１を備えている。さらに、凸部７１の外周を球面形状としている。
【００５１】
このような構成によれば、ベルト部６０とＮＡＶＩ７０の背面筐体部５２との間に片手を挿入し、片手の手のひらで球面形状の凸部７１の外周を包み込むとともに、親指と人指し指とでフック部６２ｂを挟み込んでＮＡＶＩ７０を保持することができる。したがって、手のひらで凸部７１を包み込むように保持し、ベルト部６０と手の甲とを密着させることにより、全体として片手での保持面積が増加しＮＡＶＩ７０を安定して保持することができる。また、手のひらで凸部７１を把持するようにしているために、ベルト部６０で手の甲を強く押圧する必要もなく、手の疲労感を軽減することが可能となる。
【００５２】
また、フック部６２ａ、６２ｂを挿入した片手の親指と人差し指で挟む込む構成としているため、ＮＡＶＩ７０を保持する片手に対して傾斜した状態としても、しっかりとＮＡＶＩ７０を楽な姿勢で保持でき、疲労感を軽減することができる。
【００５３】
また、本発明の実施の形態４では、図７に示すように、背面筐体部５２の背面部が、略矩形形状の低面部５６と、低面部５６に連設する高面部５７と、低面部５６および高面部５７の境界の段差部５８とを備えるようにし、さらに凸部７１の裾の一部が段差部５８を横断し、低面部５６の方向に突出した構成としている。そのために、挿入した片手のひらを凸部７１に沿って折り曲げる際に、低面部５６に手首を沿わせることができ、保持する片手の疲労感の抑制と、保持する手のひらに対して直交する方向の角度の自由度を向上させ疲労感をさらに低減することができる。
【００５４】
このように、本発明の実施の形態４における情報処理装置であるＮＡＶＩ７０によれば、ＮＡＶＩ７０を疲労感なく自然な姿勢で強固に保持することができ、視認性や操作性を向上させる携帯型ＮＡＶＩなどを提供することができる。
【００５５】
また、凸部７１の高面部５７からの高さを、フック部６２ａ、６２ｂの高面部５７からの高さよりも低くすることが好ましい。このような構成によれば、実施の形態３で述べたように、ＮＡＶＩ７０を平坦な机上に置いて使用する場合には、ベルト部６０が弾性変形する。一方、フック部６２ａ、６２ｂは肉厚で、なおかつ凸部７１よりも高さが高いために、ＮＡＶＩ７０を傾斜させて机上に安定して載置することができる。そのため、ディスプレイ部５３が傾斜して視認性を高め、操作ボタン５５の操作性を高めることができる。
【００５６】
さらに、このような構成とすることで、フック部６２ａ、６２ｂが足ゴムとしての機能を発揮し、机上にＮＡＶＩ７０を置いて使用する場合などには、操作ボタン５５のボタン操作などの衝撃を吸収して操作性を増すことができる。
【００５７】
なお、本発明の実施の形態３、４における情報処理装置であるＮＡＶＩ５０、７０の上部、すなわちディスプレイ部５３の上部に把手を設けてもよい。把手を設けることによってＮＡＶＩ５０、７０の持ち運びが便利になるものである。把手を空間部と握り部を有するように構成することによって、背面筐体部５２を片手で保持した際に、保持する片手の指を空間部に挿入してさらに安定して保持することが可能となる。
【００５８】
（実施の形態５）
図９は本発明の実施の形態５における情報処理装置を前面側から見た斜視図である。図９に示すように、本発明の実施の形態５における情報処理装置は前面側に表示部としてのディスプレイ部と、キーボードと操作ボタンとを備えた個人情報端末であるＰＤＡなどである。
【００５９】
図９に示すように、ＰＤＡ８０は樹脂などを成型加工した前面筐体部８１と背面筐体部８２とにより構成されている。前面筐体部８１には液晶ディスプレイなどのディスプレイ部８３と、入力機能を有するキーボード８４と、表示画面のメニュー選択などをする操作ボタン８５などが配置され、前面側でＰＤＡ８０の全ての操作が可能なように構成されている。
【００６０】
なお、本発明の実施の形態５におけるＰＤＡ８０の背面筐体部８２は、実施の形態３あるいは実施の形態４で述べた図５、図７に示す構成と同じであり、フック部６２ａ、６２ｂを設けたベルト部６０を備えている。さらに、背面筐体部８２の背面部が、略矩形形状の低面部５６と、低面部５６に連設する高面部５７と、低面部５６および高面部５７の境界の段差部５８とを備えている。また、略球面形状の凸部７１を高面部５７に備え、凸部７１の裾の一部が段差部５８を横断し低面部５６の方向に突出した構成としてもよい。
【００６１】
したがって、本発明の実施の形態５における情報処理装置であるＰＤＡ８０によれば、実施の形態３、４で述べたＮＡＶＩ５０、７０と同様にＰＤＡ８０を片手で安定して保持できるとともに、疲労感なく自然な姿勢で強固に保持することができる。そのため、ディスプレイ部８３とキーボード８４とを楽な姿勢で視認し操作することができて視認性や操作性を向上させた携帯型ＰＤＡなどを提供することができる。
【００６２】
さらに、フック部６２ａ、６２ｂを足ゴムとして機能させ、ＰＤＡ８０を机上において操作する際のキーボードや８４や操作ボタン８５の操作性を向上させたり、衝撃吸収として機能させることができる。
【００６３】
なお、このようなＰＤＡ８０の上部、すなわちディスプレイ部８３の上部に把手を設けてさらに携帯性を向上させてもよい。
【００６４】
また、表示部と表示部に表示する表示信号を制御する制御部とを前面筐体部に配置した実施の形態３、４および５の構成では、ＮＡＶＩやＰＤＡ以外にも、例えばゲーム機や、在庫管理または看護士等が患者の看護に用いる携帯端末等にも適用可能である。また、制御部は制御ボタンに限らず、表示面を手等で触れるタッチパネルも適用することができる。
【産業上の利用可能性】
【００６５】
本発明によれば、片手で強固に保持することができ、且つキー入力操作などの操作性を向上させた情報処理装置を実現して、特に携帯型情報処理装置などに有用である。
【図面の簡単な説明】
【００６６】
【図１】本発明の実施の形態１における情報処理装置であるノートパソコンを示す図であり、（ａ）はノートパソコンを下方の背面側から見た斜視図、（ｂ）は（ａ）のＡ−Ａ線断面図
【図２】同ノートパソコンを片手で保持した状態を示す斜視図
【図３】本発明の実施の形態２における情報処理装置であるノートパソコンを示す図であり、（ａ）はノートパソコンを下方の背面側から見た斜視図、（ｂ）は（ａ）のＢ−Ｂ線断面図
【図４】本発明の実施の形態３における情報処理装置を前面側から見た斜視図
【図５】同情報処理装置を背面側から見た斜視図
【図６】図５のＣ−Ｃ線断面図
【図７】本発明の実施の形態４における情報処理装置を背面側から見た斜視図
【図８】図７のＤ−Ｄ線断面図
【図９】本発明の実施の形態５における情報処理装置を前面側から見た斜視図
【符号の説明】
【００６７】
１０，１０１    ノートパソコン本体
１１，５１，８１    前面筐体部
１２，８４    キーボード
１３，５２，８２    背面筐体部
１４    ヒンジ部
１５    背面部
１６，６０    ベルト部
１７ａ，１７ｂ，６１ａ，６１ｂ    固定部
１８ａ，１８ｂ，６２ａ，６２ｂ    フック部
２０    固定部位置調整部
２２    片手
３１，７１    凸部
５０，７０    ＮＡＶＩ
５３，８３    ディスプレイ部
５５，８５    操作ボタン
５６    低面部
５７    高面部
５８    段差部
５９    蓋部
８０    ＰＤＡ
【図１】
2009193405.tif 000003
【図２】
2009193405.tif 000004
【図３】
2009193405.tif 000005
【図４】
2009193405.tif 000006
【図５】
2009193405.tif 000007
【図６】
2009193405.tif 000008
【図７】
2009193405.tif 000009
【図８】
2009193405.tif 000010
【図９】
2009193405.tif 000011